(57)【特許請求の範囲】
【請求項１】
使用者の親指を受け入れ可能な親指袋と、
使用者の人差指を受け入れ可能な人差指袋、使用者の中指を受け入れ可能な中指袋、使用者の薬指を受け入れ可能な薬指袋、および使用者の小指を受けれ可能な小指袋を含む指袋と、
前記親指袋と前記人差指袋との間に設けられたウエブ部と、
前記人差指袋の付根部と前記中指袋の付根部との間、前記中指袋の付根部と前記薬指袋の付根部との間、前記薬指袋の付根部と前記小指の付根部との間に位置し、前記各付根部を連結する複数の指股部と、
前記親指袋の前記ウエブ部側の側面部、および前記ウエブ部の底部とを連設する親指袋連設部と、
前記人差指袋の前記ウエブ部側の側面部、および前記ウエブ部の前記底部とを連設する人差指袋連設部とを備え、
前記親指袋連設部および前記人差指袋連設部の少なくともいずれか一方に易変形部を設け、
前記易変形部は、該易変形部に対して隣り合う部分であって、前記指袋または親指袋の手甲側に位置する部分よりも小さい力で変形可能とされた、野球またはソフトボール用捕球具。
【請求項２】
さらに前記指股部の少なくとも一箇所に易変形部を設けた、請求項１に記載の野球またはソフトボール用捕球具。
【請求項３】
使用者の手掌側に配置された受球面革、および使用者の手甲側に配置され、前記受球面革に結合される背面革を含む表革と、
手甲革および手掌革で構成され、前記表革の内部に挿入された裏革とをさらに備え、
前記易変形部は、前記背面革に設けられ、該易変形部は、前記背面革よりも薄肉に形成された、請求項１または２に記載の野球またはソフトボール用捕球具。
【請求項４】
使用者の手掌側に配置された受球面革、および使用者の手甲側に配置され、前記受球面革に結合される背面革を含む表革と、
手甲革および手掌革で構成され、前記表革の内部に挿入された裏革とをさらに備え、
前記易変形部は、前記背面革に設けられ、該易変形部は、前記背面革よりも軟らかい材料で構成された、請求項１または２に記載の野球またはソフトボール用捕球具。
【請求項５】
使用者の手掌側に配置された受球面革、および使用者の手甲側に配置され、前記受球面革に結合される背面革を含む表革と、
手甲革および手掌革で構成され、前記表革の内部に挿入された裏革とをさらに備え、
前記易変形部は、前記背面革に設けられ、該易変形部は、前記背面革より伸縮性の大きい材料で構成された、請求項１または２に記載の野球またはソフトボール用捕球具。
【請求項６】
前記易変形部は、前記指袋の長手方向に延びる、請求項１から請求項５のいずれかに記載の野球またはソフトボール用捕球具。
【請求項７】
前記易変形部は、該易変形部が位置する前記指股部の両側に位置する前記指袋の側面上を延びる第１側面易変形部および第２側面易変形部を含み、
前記第１側面易変形部は、前記第２側面易変形部よりも前記指袋の先端部側まで延在する、請求項２に記載の野球またはソフトボール用捕球具。
【請求項８】
使用者の手掌側に配置された受球面革および使用者の手甲側に配置され、前記受球面革に結合される背面革と、
前記受球面革および前記背面革とが結合されることで形成され、使用者の親指を受け入れ可能な親指袋と、
使用者の人差指を受け入れ可能な人差指袋、使用者の中指を受け入れ可能な中指袋、使用者の薬指を受け入れ可能な薬指袋、および使用者の小指を受けれ可能な小指袋を含み、前記受球面革および前記背面革を結合させることで形成される指袋と、
前記人差指袋の付根部と前記中指袋の付根部との間、前記中指袋の付根部と前記薬指袋の付根部との間、前記薬指袋の付根部と前記小指の付根部との間に位置し、前記各付根部を連結する複数の指股部と、
を備え、
前記背面革には、前記指袋の挿入口の開口縁部のうち手甲側に位置する部分を規定するヘリ部が形成され、
前記背面革のうち、前記各指股部を通る仮想線から前記ヘリ部に亘る易変形部を設け、
前記易変形部は、該易変形部に対して隣り合う部分であって、前記指袋または親指袋の手甲側に位置する部分よりも小さい力で変形可能とされた、野球またはソフトボール用捕球具。
【請求項９】
使用者の手掌側に配置された受球面革および使用者の手甲側に配置され、前記受球面革に結合される背面革と、
前記受球面革および前記背面革が結合されることで形成され、使用者の親指を受け入れ可能な親指袋と、
使用者の人差指を受け入れ可能な人差指袋、使用者の中指を受け入れ可能な中指袋、使用者の薬指を受け入れ可能な薬指袋、および使用者の小指を受けれ可能な小指袋を含み、前記受球面革および前記背面革を結合させることで形成される指袋と、
前記人差指袋の付根部と前記中指袋の付根部との間、前記中指袋の付根部と前記薬指袋の付根部との間、前記薬指袋の付根部と前記小指の付根部との間に位置し、前記各付根部を連結する複数の指股部と、
前記指股部に設けられた易変形部と、
を備え、
前記指股部は、前記人差指袋の付根部と前記中指袋の付根部との間に位置する第１指股部と、前記中指袋の付根部と前記薬指袋の付根部との間に位置する第２指股部と、前記薬指袋の付根部と前記小指の付根部との間に位置する第３指股部とを含み、
前記易変形部は、前記第１指股部に設けられた第１易変形部と、前記第２指股部に設けられた第２易変形部と、前記第３指股部に設けられた第３易変形部とを含み、
前記第３易変形部は前記第１易変形部および第２易変形部よりも同一の外力による変形量が大きくなるように形成された、野球またはソフトボール用捕球具。
【請求項１０】
前記第３易変形部の面積は、前記第１易変形部および前記第２易変形部の面積よりも広い、請求項９に記載の野球またはソフトボール用捕球具。
【請求項１１】
前記第３易変形部は、前記第１および第２易変形部よりも薄く形成された、請求項９または請求項１０に記載の野球またはソフトボール用捕球具。
【請求項１２】
使用者の手掌側に配置された受球面革および使用者の手甲側に配置され、前記受球面革に結合される背面革と、
前記受球面革および前記背面革が結合されることで形成され、使用者の親指を受け入れ可能な親指袋と、
使用者の人差指を受け入れ可能な人差指袋、使用者の中指を受け入れ可能な中指袋、使用者の薬指を受け入れ可能な薬指袋、および使用者の小指を受けれ可能な小指袋を含み、前記受球面革および前記背面革を結合させることで形成される指袋と、
前記人差指袋の付根部と前記中指袋の付根部との間、前記中指袋の付根部と前記薬指袋の付根部との間、前記薬指袋の付根部と前記小指の付根部との間に位置し、前記各付根部を連結する複数の指股部と、
前記指股部に設けられた易変形部と、
を備え、
前記指股部は、前記人差指袋の付根部と前記中指袋の付根部との間に位置する第１指股部と、前記中指袋の付根部と前記薬指袋の付根部との間に位置する第２指股部と、前記薬指袋の付根部と前記小指の付根部との間に位置する第３指股部とを含み、
前記易変形部は、前記第１指股部に設けられた第１易変形部と、前記第２指股部に設けられた第２易変形部と、前記第３指股部に設けられた第３易変形部とを含み、
前記第２易変形部は、前記第１易変形部および前記第３易変形部よりも同一の外力に対する変形量が大きい、野球またはソフトボール用捕球具。
【請求項１３】
前記第２易変形部の面積は、前記第１易変形部および前記第３易変形部の面積よりが広い、請求項１２に記載の野球またはソフトボール用捕球具。
【請求項１４】
前記第２易変形部は、前記第１および第３易変形部よりも薄く形成された、請求項１２に記載の野球またはソフトボール用捕球具。
【発明の詳細な説明】
【技術分野】
【０００１】
本発明は、野球またはソフトボール用捕球具に関する。
【背景技術】
【０００２】
従来から使用者が野球ボールやソフトボールを捕球するためのグローブが各種提案されている。
【０００３】
たとえば、実開昭５７−１０９８６３号公報に記載されたグローブは、人差指の指腹面外皮部と、中指の指腹面外皮部と、小指の指腹面外皮部と、各指腹面外皮部に設けられた耳部に縫着された細帯片とを備えている。
【０００４】
このグローブにおいては、回転やひねりが加えられたボールの衝撃が指の付根部分に作用したとしても、当該指の付根部分の縫合が解けたり、破損したりすることが抑制されている。
【０００５】
実開昭５７−１７３７７２号公報に記載された野球・ソフトボール用グラブにおいても、指形股間に位置する縫着部の糸切れや破損の減少が図られている。この野球・ソフトボール用グラブにおいては、捕球面皮のうち、指形股間の基部が位置する部分に指先方向に弧状凸部を設けて、この弧状凸部を背面皮に縫着している。これにより、指形股間の基部に捕球面皮が盛り上がり、弧状凸部の縫着部が沈む。このようにして、縫着部の糸切れなどが図られている。
【特許文献１】実開昭５７−１０９８６３号公報
【特許文献２】実開昭５７−１７３７７２号公報
【発明の開示】
【発明が解決しようとする課題】
【０００６】
上記従来の野球またはソフトボール用捕球具においては、使用者がボールを捕球したり、ボールを握ったりする際に、人差指や中指等を収容する指袋同士が接触したり干渉したりする。このため、ボールを捕球するために各指袋を変形させ難くなっており、使用者は、捕球時やボールを把持する際に、大きな力を要し、各指袋をスムーズに操作し難くなっている。
【０００７】
本発明は、上記のような課題に鑑みてなされたものであって、その目的は、人差指、中指、薬指および小指を受け入れ可能な複数の指袋等を容易に操作することができ、捕球動作やボールを把持し易い野球またはソフトボール用捕球具を提供することである。
【課題を解決するための手段】
【０００８】
本発明に係る野球またはソフトボール用捕球具は、使用者の親指を受け入れ可能な親指袋と、使用者の人差指を受け入れ可能な人差指袋、使用者の中指を受け入れ可能な中指袋、使用者の薬指を受け入れ可能な薬指袋、および使用者の小指を受けれ可能な小指袋を含む指袋と、親指袋と人差指袋との間に設けられたウエブ部と、人差指袋の付根部と中指袋の付根部との間、中指袋の付根部と薬指袋の付根部との間、薬指袋の付根部と小指の付根部との間に位置し、各付根部を連結する複数の指股部と、親指袋のウエブ部側の側面部、およびウエブ部の底部とを連設する親指袋連設部と、人差指袋のウエブ部側の側面部、およびウエブ部の底部とを連設する人差指袋連設部とを備える。そして、親指袋連設部および人差指袋連設部の少なくともいずれか一方に易変形部を設け、この易変形部は、易変形部に対して隣り合う部分であって、指袋または親指袋の手甲側に位置する部分よりも小さい力で変形可能とする。
【０００９】
好ましくは、使用者の手掌側に配置された受球面革、および使用者の手甲側に配置され、受球面革に結合される背面革を含む表革と、手甲革および手掌革で構成され、表革の内部に挿入された裏革とをさらに備える。さらに、上記易変形部は、背面革に設けられ、該易変形部は、背面革よりも薄肉に形成する。
【００１０】
好ましくは、使用者の手掌側に配置された受球面革、および使用者の手甲側に配置され、受球面革に結合される背面革を含む表革と、手甲革および手掌革で構成され、表革の内部に挿入された裏革とをさらに備える。そして、上記易変形部は、背面革に設けられ、該易変形部は、背面革よりも軟らかい材料で構成する。
【００１１】
好ましくは、使用者の手掌側に配置された受球面革、および使用者の手甲側に配置され、受球面革に結合される背面革を含む表革と、手甲革および手掌革で構成され、表革の内部に挿入された裏革とをさらに備える。そして、上記易変形部は、背面革に設けられ、該易変形部は、背面革より伸縮性の大きい材料で構成する。
【００１２】
好ましくは、上記易変形部は、指袋の長手方向に延びる。好ましくは、上記易変形部は、易変形部が位置する指股部の両側に位置する指袋の側面上を延びる第１側面易変形部および第２側面易変形部を含む。そして、上記第１側面易変形部は、第２側面易変形部よりも指袋の先端部側まで延在する。
【００１３】
本発明に係る野球またはソフトボール用捕球具は、他の局面では、使用者の手掌側に配置された受球面革および使用者の手甲側に配置され、前記受球面革に結合される背面革と、前記受球面革および前記背面革とが結合されることで形成され、使用者の親指を受け入れ可能な親指袋と、使用者の人差指を受け入れ可能な人差指袋、使用者の中指を受け入れ可能な中指袋、使用者の薬指を受け入れ可能な薬指袋、および使用者の小指を受けれ可能な小指袋を含み、前記受球面革および前記背面革を結合させることで形成される指袋と、前記人差指袋の付根部と前記中指袋の付根部との間、前記中指袋の付根部と前記薬指袋の付根部との間、前記薬指袋の付根部と前記小指の付根部との間に位置し、前記各付根部を連結する複数の指股部とを備える。そして、上記記背面革には、前記指袋の挿入口の開口縁部のうち手甲側に位置する部分を規定するヘリ部が形成され、前記背面革のうち、前記各指股部を通る仮想線から前記ヘリ部に亘る易変形部を設け、前記易変形部は、該易変形部に対して隣り合う部分であって、前記指袋または親指袋の手甲側に位置する部分よりも小さい力で変形可能とされる。
【００１４】
本発明に係る野球またはソフトボール用捕球具は、他の局面では、使用者の手掌側に配置された受球面革および使用者の手甲側に配置され、受球面革に結合される背面革と、受球面革および背面革が結合されることで形成され、使用者の親指を受け入れ可能な親指袋と、使用者の人差指を受け入れ可能な人差指袋、使用者の中指を受け入れ可能な中指袋、使用者の薬指を受け入れ可能な薬指袋、および使用者の小指を受けれ可能な小指袋を含み、受球面革および背面革を結合させることで形成される指袋と、人差指袋の付根部と中指袋の付根部との間、中指袋の付根部と薬指袋の付根部との間、薬指袋の付根部と小指の付根部との間に位置し、各付根部を連結する複数の指股部と、指股部に設けられた易変形部とを備える。そして、上記指股部は、人差指袋の付根部と中指袋の付根部との間に位置する第１指股部と、中指袋の付根部と薬指袋の付根部との間に位置する第２指股部と、薬指袋の付根部と小指の付根部との間に位置する第３指股部とを含み、易変形部は、第１指股部に設けられた第１易変形部と、第２指股部に設けられた第２易変形部と、第３指股部に設けられた第３易変形部とを含み、第３易変形部は第１易変形部および第２易変形部よりも同一の外力による変形量が大きくなるように形成される。
【００１５】
好ましくは、上記第３易変形部の面積は、第１易変形部および第２易変形部の面積よりも広い。好ましくは、上記第３易変形部は、第１および第２易変形部よりも薄く形成される。
【００１６】
本発明に係る野球またはソフトボール用捕球具は、他の局面では、使用者の手掌側に配置された受球面革および使用者の手甲側に配置され、受球面革に結合される背面革と、受球面革および背面革が結合されることで形成され、使用者の親指を受け入れ可能な親指袋と、使用者の人差指を受け入れ可能な人差指袋、使用者の中指を受け入れ可能な中指袋、使用者の薬指を受け入れ可能な薬指袋、および使用者の小指を受けれ可能な小指袋を含み、受球面革および背面革を結合させることで形成される指袋と、人差指袋の付根部と中指袋の付根部との間、中指袋の付根部と薬指袋の付根部との間、薬指袋の付根部と小指の付根部との間に位置し、各付根部を連結する複数の指股部と、指股部に設けられた易変形部とを備える。そして、上記指股部は、人差指袋の付根部と中指袋の付根部との間に位置する第１指股部と、中指袋の付根部と薬指袋の付根部との間に位置する第２指股部と、薬指袋の付根部と小指の付根部との間に位置する第３指股部とを含み、易変形部は、第１指股部に設けられた第１易変形部と、第２指股部に設けられた第２易変形部と、第３指股部に設けられた第３易変形部とを含み、第２易変形部は、第１易変形部および第３易変形部よりも同一の外力に対する変形量が大きい。
【００１７】
好ましくは、上記第２易変形部の面積は、第１易変形部および第３易変形部の面積よりが広い。好ましくは、上記第２易変形部は、第１および第３易変形部よりも薄く形成される。
【発明の効果】
【００１８】
本発明に係る野球またはソフトボール用捕球具によれば、人差指、中指、薬指および小指を受け入れ可能な複数の指袋等の操作性を向上させることができ、捕球動作やボールを把持する動作を容易に行うことができる。
【発明を実施するための最良の形態】
【００１９】
本発明に係る捕球具（野球またはソフトボール用捕球具）１００について、図１から図２７を用いて説明する。
【００２０】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００２１】
（実施の形態１）
図１は、本発明の実施の形態１に係る捕球具１００の背面図であり、図２は、図１に示された捕球具１００の正面図である。これら図１および図２に示すように、捕球具１００は、挿入される使用者の手甲側に配置される背面革１３１および手掌側に配置される受球面革１３２を含む表革１３０を備えている。
【００２２】
受球面革１３２の中央部には、野球の硬式ボール、軟式ボールおよびソフトボール（以下、単に「ボール」としたときには、軟式ボール、硬式ボール、およびソフトボールのいずれも含むものとする。）を受け止めるポケット部が設けられている。
【００２３】
そして、表革１３０は、使用者の親指を受け入れ可能な親指用袋１１０と、使用者の親指以外の指を受け入れ可能な指袋１２０とを備えている。
【００２４】
また、捕球具１００は、使用者が各指袋１２０内に指を挿入する際に、使用者の手が挿入される手挿入部１３３を備えている。この手挿入部１３３は、使用者の手の各中手骨が位置する部分を覆うように設けられたベルト１３４と、使用者の手の各中手指節関節が位置する部分が外方に露出する開口部１３６が規定された開口規定部１３５とを備えている。なお、中手指節関節は、中手骨と、中手骨の指先側に位置する基節骨との間に位置している。
【００２５】
指袋１２０は、使用者の人差指を受け入れ可能な人差指用袋（指袋）１２１と、中指を受け入れ可能な中指用袋１２２と、薬指を受け入れ可能な薬指用袋１２３と、小指を受け入れ可能な小指用袋１２４とを備えている。親指用袋１１０と人差指用袋１２１との間には、ウエブ部１１１が設けられている。
【００２６】
ここで、人差指用袋１２１、中指用袋１２２、薬指用袋１２３および小指用袋１２４は、手掌側に設けられた受球面革１３２と、手甲側に配置され、受球面革１３２に縫着された指袋背面革２１０とによって規定されている。
【００２７】
図３は、指袋背面革２１０の展開平面図である。この図３に示すように、指袋背面革２１０は、人差指側面背面革２１５と、第１指背面革２３１と、第２指背面革２３２と、第３指背面革２３３と、小指側面背面革２１４とを備えている。図４は、第１指背面革２３１と、第２指背面革２３２との接続部における断面図であり、図５から図７は、それぞれ、第１指背面革２３１と、第２指背面革２３２と、第３指背面革２３３との各平面図である。
【００２８】
図４に示すように、第１指背面革２３１と第２指背面革２３２とは、いずれも、帯革２２２に縫着されており、互いに一体とされている。このように、帯革２２２を介して、第１指背面革２３１と第２指背面革２３２とを縫着することで、縫着部が表面に露出することを抑制することができ、糸がボールからの衝撃等によって切れたり、解けたりすることを抑制することができる。
【００２９】
そして、図３において、人差指側面背面革２１５と第１指間背面革２１１とは、いずれも帯革２２１に縫着されており、互いに連結されている。さらに、第２指背面革２３２と第３指背面革２３３とは、いずれも、帯革２２３を介して縫着されており、互いに連結されている。さらに、第３指背面革２３３と小指側面背面革２１４とは、いずれも、帯革２２４に縫着されており、互いに連結されている。
【００３０】
ここで、図１および図３において、指袋背面革２１０が受球面革１３２に縫着されると、人差指側面背面革２１５は、ウエブ部１１１と対向する人差指用袋１２１の側面と、人差指用袋１２１の手甲側に位置する上面のうち、ウエブ部１１１側に位置する部分と、人差指用袋１２１の付根部から開口規定部１３５まで達する部分を規定する。
【００３１】
第１指背面革２３１は、中指用袋１２２と対向する人差指用袋１２１の側面と、人差指用袋１２１と対向する中指用袋１２２の側面と、第１指股部１５１から開口規定部１３５まで達する部分と、人差指用袋１２１の手甲側に位置する上面のうち中指用袋１２２側に位置する部分と、中指用袋１２２の手甲側に位置する上面のうち、人差指用袋１２１側に位置する部分とを規定する。
【００３２】
第２指背面革２３２は、薬指用袋１２３と対向する中指用袋１２２の側面と、中指用袋１２２と対向する薬指用袋１２３の側面と、第２指股部１５２から開口規定部１３５まで達する部分と、中指用袋１２２の手甲側に位置する上面のうち薬指用袋１２３側に位置する部分と、薬指用袋１２３の手甲側に位置する上面のうち中指用袋１２２側に位置する部分とを規定する。
【００３３】
第３指背面革２３３は、小指用袋１２４と対向する薬指用袋１２３の側面と、薬指用袋１２３と対向する小指用袋１２４の側面と、第３指股部１５３から開口規定部１３５まで達する部分と、薬指用袋１２３の手甲側に位置する上面のうち小指用袋１２４側に位置する部分と、小指用袋１２４の手甲側に位置する上面のうち薬指用袋１２３側に位置する部分とを規定する。
【００３４】
小指側面背面革２１４は、小指用袋１２４の側面および小指用袋１２４の側面から手挿入部１３３まで達する部分とを規定する。
【００３５】
第１指背面革２３１は、人差指用袋１２１の一方の側面および上面の一部と、中指用袋１２２の一方の側面および上面の一部とを規定し、第１指股部１５１およびその近傍から退避するように湾曲し、手挿入部１３３まで延びる第１指間背面革２１１と、第１指股部１５１およびその周囲に位置する部分に設けられ、第１指間背面革２１１に縫着された第１易変形部１９１とを備えている。
【００３６】
第２指背面革２３２は、中指用袋１２２の他方の側面および上面の一部と、薬指用袋１２３の一方の側面および上面の一部とを規定し、第２指股部１５２およびその近傍から退避するように湾曲し、手挿入部１３３にまで達する第２指間背面革２１２と、第２指股部１５２およびその近傍に設けられ、第２指間背面革２１２に縫着された第２易変形部１９２とを備えている。
【００３７】
第３指背面革２３３は、薬指用袋１２３の他方の側面および上面の一部と、小指用袋１２４の一方の側面および上面の一部を規定し、第３指股部１５３およびその近傍から退避するように湾曲しつつ、手挿入部１３３に向けて延びる第３指間背面革２１３と、第３指股部１５３およびその近傍に位置する部分に設けられ、第３指間背面革２１３に縫着された第３易変形部１９３とを備えている。
【００３８】
そして、第１易変形部１９１、第２易変形部１９２、および第３易変形部１９３は、いずれも、第１易変形部１９１、第２易変形部１９２、および第３易変形部１９３の両側に位置し、各人差指用袋１２１、中指用袋１２２、薬指用袋１２３の手甲側に位置する第１指間背面革２１１、第２指間背面革２１２および第３指間背面革２１３よりも、小さな力で変形可能とされている。
【００３９】
たとえば、第１易変形部１９１の厚み、第２易変形部１９２の厚み、および、第３易変形部１９３の厚みは、第１指間背面革２１１の厚み、第２指間背面革２１２の厚み、および、第３指間背面革２１３の厚みよりも薄く形成されている。これにより、第１易変形部１９１、第２易変形部１９２、および第３易変形部１９３は、いずれも、第１指間背面革２１１、第２指間背面革２１２および第３指間背面革２１３よりも、小さな力で変形させることができる。
【００４０】
この場合には、たとえば、第１易変形部１９１、第２易変形部１９２および第３易変形部１９３と、第１指間背面革２１１、第２指間背面革２１２および第３指間背面革２１３とは、人工皮革や天然皮革などを採用することができる。
【００４１】
また、第１易変形部１９１、第２易変形部１９２および第３易変形部１９３を第１指間背面革２１１、第２指背面革２３２および第３指背面革２３３とは、別の材料により構成してもよい。たとえば、第１易変形部１９１、第２易変形部１９２および第３易変形部１９３を、第１指間背面革２１１、第２指間背面革２１２および第３指間背面革２１３より軟らかい材料で構成してもよい。
【００４２】
この場合には、たとえば、第１易変形部１９１、第２易変形部１９２および第３易変形部１９３をニット素材であるツーウェイトリコット生地等から構成し、第１指間背面革２１１、第２指間背面革２１２および第３指間背面革２１３を天然皮革、人工皮革等により構成する場合等が挙げられる。さらに、第１易変形部１９１、第２易変形部１９２および第３易変形部１９３を第１指間背面革２１１、第２指間背面革２１２および第３指間背面革２１３よりも伸縮性の大きい材料から構成してもよい。たとえば、第１易変形部１９１、第２易変形部１９２および第３易変形部１９３をニット素材であるツーウェイトリコット生地等から構成する。
【００４３】
なお、本実施の形態１においては、人差指側面背面革２１５および小指側面背面革２１４も、第１指間背面革２１１、第２指間背面革２１２および第３指間背面革２１３と同様の材料および厚みとされている。
【００４４】
図８は、受球面革１３２側から見たときの第１指股部１５１、第２指股部１５２および第３指股部１５３を示す斜視図である。この図８に示すように、第１易変形部１９１は、背面革１３１側に位置している。そして、人差指用袋１２１、中指用袋１２２、薬指用袋１２３および小指用袋１２４の手掌側は、受球面革１３２の人差指腹部１４１、中指腹部１４２、薬指腹部１４３、小指腹部１４４によって規定されている。なお、受球面革１３２は、第１易変形部１９１、第２易変形部１９２および第３易変形部１９３よりも変形し難くなっている。たとえば、受球面革１３２は、第１易変形部１９１、第２易変形部１９２および第３易変形部１９３よりも厚い天然皮革や人工皮革によって構成されている。なお、各指袋１２０は、隣り合う指袋１２０の先端部同士間で、革紐１４５によって連結されている。
【００４５】
ここで、図１において、使用者は、ボールを捕球する際やボールを把持する際に、親指、中指、薬指、小指に力を加えて、中指用袋１２２、薬指用袋１２３および小指用袋１２４と、親指用袋１１０とを近接させるように捕球具１００を変形させる。
【００４６】
この際、第１指股部１５１および第１指股部１５１から手挿入部１３３までの間に位置する部分が受球面側に向けて屈曲する。そして、第１指股部１５１の近傍であって、人差指用袋１２１の側面部分と、第１指股部１５１の近傍であって、中指用袋１２２の側面部分とが互いに近接および当接するように変位する。
【００４７】
そして、第２指股部１５２、第３指股部１５３およびこれらの近傍においても、上記第１指股部１５１およびその近傍と同様の変形が生じる。
【００４８】
ここで、投手、二塁手、三塁手、遊撃手が、横捕りおよび縦捕りしたときの捕球具の変形状態について測定した結果を図９から図２０に示す。なお、この捕球具の変形状態を測定する際には、使用者が、複数のセンサが設けられた捕球具を装着し、そして、ボールを把持するように捕球具を閉じた際に、各センサの変位を測定して、捕球具の各所における変位量を測定する。なお、図９から図２０において、捕球具のモデルを複数の要素に区分して、捕球動作時に大きく変位した要素については、丸印を付し、特に、大きく変位した要素については、二重丸印を付している。
【００４９】
図９は、投手が捕球具を装着して、横捕りしたときにおける補球具の変形状態を示した捕球具モデルの正面図であり、図１０は、図９に示された捕球具モデルの側面図である。図９および図１０に示されるように、投手が横捕りする際には、人差指用袋の付根部と中指用袋の付根部との間に位置する指股部と、中指用袋の付根部と薬指用袋の付根部との間に位置する指股部と、薬指用袋の付根部と小指用袋の付根部との間に位置する指股部と、これら各指股部から手挿入部までの間が大きく変位していることが分かる。
【００５０】
図１１は、二塁手が横捕りしたときにおける捕球具の変形状態を示した捕球具モデルの正面図であり、図１２は、図１１に示された捕球具モデルの側面図である。これら、図１１および図１２に示されるように、二塁手が横捕りする際においても、人差指用袋の付根部と中指用袋の付根部との間に位置する指股部と、中指用袋の付根部と薬指用袋の付根部との間に位置する指股部と、薬指用袋の付根部と小指用袋の付根部との間に位置する指股部と、これら各指股部から手挿入部までの間が大きく変位していることが分かる。
【００５１】
図１３は、遊撃手が横捕りしたときにおける捕球具の変形状態を示した捕球具モデルの正面図であり、図１４は、図１３に示された捕球具モデルの側面図である。この図１３および図１４に示されるように、遊撃手が横捕りしたときには、人差指用袋の付根部と中指用袋の付根部との間に位置する指股部と、薬指用袋の付根部と小指用袋の付根部との間に位置する指股部と、これら指股部から手挿入部との間に位置する部分とが大きく変位していることが分かる。
【００５２】
図１５は、外野手が縦捕りしたときにおける捕球具の変形状態を示す捕球具モデルの正面図であり、図１６は、図１５に示された捕球具モデルの側面図である。これら、図１５および図１６に示されるように、外野手が縦捕りすると、薬指用袋の付根部と、小指用袋の付根部分との間に位置する指股部と、この指股部から手挿入部までの間に位置する部分が、大きく変位していることが分かる。
【００５３】
図１７は、遊撃手が縦捕りしたときのおける捕球具の変形状態を示す捕球具モデルの正面図であり、図１８は、図１７に示された捕球具の側面図である。これら、図１７および図１８に示されるように、遊撃手が縦捕りしたときには、薬指用袋の付根部と小指用袋の付根部との間に位置する指股部と、この指股部から手挿入部との間に位置する部分が大きく変位していることが分かる。
【００５４】
図１９は、三塁手が縦捕りしたときにおける捕球具の変形状態を示す捕球具モデルの正面図であり、図２０は、図１９に示された捕球具モデルの側面図である。これら図１９および図２０に示されるように、薬指用袋の付根部と小指用袋の付根部との間に位置する指股部と、この指股部と手挿入部との間に位置する部分とが大きく変位していることが分かる。
【００５５】
このように、図９から図２０に示されるように、各種の守備位置で縦捕りや横捕りをした際に、図１に示す第１指股部１５１と、第２指股部１５２と、第３指股部１５３とが位置する部分が大きく変位することが分かる。
【００５６】
その一方で、図１および図３に示すように、本実施の形態１に係る捕球具１００においては、第１指股部１５１と、第２指股部１５２と、第３指股部１５３とが位置する部分には、第１易変形部１９１、第２易変形部１９２および第３易変形部１９３が形成されており、使用者は、容易に当該部分を変形させることができる。このため、使用者は、ボールの捕球動作をスムーズに行うことができ、落球等の弊害の発生を抑制することができる。  
【００５７】
特に、当該第１指股部１５１、第２指股部１５２および第３指股部１５３が位置する部分は、通常状態から捕球状態に変形するときに変位量が大きいため、当該部分に第１易変形部１９１、第２易変形部１９２および第３易変形部１９３を配置させることで、使用者が捕球具１００を変形させるために要する力を大きく低減させることができる。
【００５８】
さらに、本実施の形態１に係る捕球具１００においては、第１易変形部１９１は、第１指股部１５１から人差指用袋１２１または中指用袋１２２の先端部側および手挿入部１３３側に向けて延びており、人差指用袋１２１および中指用袋１２２の長手方向に長尺に延びている。また、他の第２指股部１５２および第３指股部１５３も第１指股部１５１と同様に長尺に形成されている。このため、第１指股部１５１、第２指股部１５２および第３指股部１５３の近傍に位置する部分をも容易に変形させることができ、捕球具１００を通常状態の形状から捕球状態における形状に容易に変形させることができる。
【００５９】
各第１易変形部１９１、第２易変形部１９２および第３易変形部１９３は、それぞれ、第１指股部１５１、第２指股部１５２および第３指股部１５３から手挿入部１３３に向けて延びる第１指間部１６１、第２指間部１６２および第３指間部１６３を備えている。
【００６０】
ここで、上記図９から図２０に示されるように、捕球する際に、第１指股部１５１に対して手挿入部１３３側に位置する部分や、第２指股部１５２に対して手挿入部１３３側に位置する部分や、第３指股部１５３に対して手挿入部１３３側に位置する部分も大きく変形させる必要が生じる。その一方で、本実施の形態１に係る捕球具１００によれば、第１指股部１５１に対して手挿入部１３３側に位置する部分や、第２指股部１５２に対して手挿入部１３３側に位置する部分や、第３指股部１５３に対して手挿入部１３３側に位置する部分には、第１指間部１６１、第２指間部１６２または第３指間部１６３が位置しており、当該部分を容易に変形させることができ、捕球動作に要する力を低減させることができる。これにより、捕球動作等をスムーズに行うことができる。
【００６１】
ここで、図５において、第１易変形部１９１のうち、親指用袋１１０側に位置する側辺部２５１は、側辺部２５１の長手方向（第１指股部１５１から手挿入部１３３に向かう方向）の中央部またはその近傍にて、親指用袋１１０側に向けて膨出するように湾曲状に延びている。さらに、他方の側辺部２５３は、側辺部２５３の長手方向中央部またはその近傍において、第２易変形部１９２に近接するように湾曲している。そして、側辺部２５１の手挿入部１３３側の端部と、側辺部２５３の手挿入部１３３側の端部とが接続されて、円弧状の底部２５２が形成されている。このため、第１易変形部１９１の幅は、第１指股部１５１から手挿入部１３３側に向かうに従って幅が広がるように形成されており、第１易変形部１９１のうち、第１指股部１５１に対して手挿入部１３３側に隣り合う部分の幅が最も幅（各指袋の短手方向の長さ）が最も大きくなっている。
【００６２】
また、図６において、第２易変形部１９２の側辺部のうち、人差指用袋１２１側に位置する側辺部２５４は、側辺部２５４の長手方向中央部またはその近傍において、第１易変形部１９１に近接するように湾曲している。さらに、他方の側辺部２５６は、側辺部２５６の長手方向中央部またはその近傍において、第３易変形部１９３に近接するように湾曲している。そして、側辺部２５４の手挿入部１３３側の端部と、側辺部２５６の手挿入部１３３側の端部とが連設されて、円弧状の底部２５５が形成されている。
【００６３】
このため、第２易変形部１９２は、第２指股部１５２から手挿入部１３３側に向かうに従って、幅が広くなるように形成されており、第２易変形部１９２のうち、第２指股部１５２に対して手挿入部１３３側に隣り合う部分が最も幅が大きくなっている。
【００６４】
また、図７において、第３易変形部１９３の側辺部のうち、中指用袋１２２側に位置する側辺部２５７は、側辺部２５７の長手方向中央部またはその近傍において、第２易変形部１９２に近接するように湾曲している。さらに、他方の側辺部２５９は、側辺部２５９の長手方向中央部またはその近傍において、第３指間背面革２１３の辺部に近接するように湾曲している。そして、側辺部２５７の手挿入部１３３側の端部と、側辺部２５９の手挿入部１３３側の端部とが連設して、円弧状の底部２５８が形成されている。
【００６５】
このため、第３易変形部１９３は、第３指股部１５３から手挿入部１３３側に向かうに従って、幅が広くなるように形成されており、第３易変形部１９３のうち、第３指股部１５３に対して手挿入部１３３側に隣り合う部分の幅が、最も大きくなっている。
【００６６】
ここで、図９、図１３、図１９に示されるように、捕球形態によっては、第１指股部１５１、第２指股部１５２、第３指股部１５３から手挿入部１３３側に向かうに従って、大きく変位する領域が広がり、第１指股部１５１、第２指股部１５２および第３指股部１５３と、手挿入部１３３との中間およびその近傍において、変位する領域が最も広がっていることが分かる。
【００６７】
本実施の形態１に係る捕球具１００によれば、第１易変形部１９１、第２易変形部１９２および第３易変形部１９３は、第１指股部１５１、１５２および第３指股部１５３から手挿入部１３３に向かうに従って幅広に形成されており、第１指股部１５１、第２指股部１５２、第３指股部１５３と手挿入部１３３との中間およびその近傍において最も幅広となるように形成されているため、上記、図９、図１３、図１９に示されるような捕球形態においても容易に捕球具１００を変形させることができる。
【００６８】
第１易変形部１９１は、第１指股部１５１から人差指用袋１２１の先端部に向けて延び、人差指用袋１２１の側面に設けられた人差指側面易変形部１７１と、中指用袋１２２の側面に設けられた中指側面易変形部１７２とを備えている。第２易変形部１９２は、第２指股部１５２から中指用袋１２２の先端部に向けて延び、中指用袋１２２の側面に設けられた中指側面易変形部１７３と、薬指用袋１２３の先端部に向けて延び、薬指用袋１２３の側面上に形成された薬指側面易変形部１７４とを備えている。また、第３易変形部１９３は、第３指股部１５３から薬指用袋１２３の先端部に向けて延び、薬指用袋１２３の側面上に形成された薬指側面易変形部１７５と、第３指股部１５３から小指用袋１２４の先端部に向けて延び、小指用袋１２４の側面上に形成された小指側面易変形部１７６とを備えている。
【００６９】
ここで、捕球具１００を通常状態における形状からボールを把持するときの形状に変形させるときには、使用者は、少なくとも、隣り合う指袋１２０の側面部同士を接触させると共に変形させるための力を捕球具１００に加える必要がある。その一方で、この捕球具１００においては、指袋１２０のうち、隣り合う指袋１２０の側面部と当接する部分には、容易に変形可能な側面易変形部が設けられており、人差指側面易変形部１７１と中指側面易変形部１７２とを当接させると共に変形させ、また、中指側面易変形部１７３と薬指側面易変形部１７４とを当接させると共に変形させ、さらに、薬指側面易変形部１７５と小指側面易変形部１７６とを当接させると共に変形させる際に、使用者が加える力を低減することができる。
【００７０】
ここで、図１および図３において、人差指用袋１２１の手甲部側は、第１易変形部１９１が位置する第１指股部１５１に対して隣り合う位置に設けられている。そして、帯革２２１は、人差指用袋１２１の手甲部の幅方向（各指袋の配列方向）の中央部を通り、人差指用袋１２１の長手方向に延びる中心線Ｌ２上に位置している。
【００７１】
さらに、中指用袋１２２の手甲部側は、第１易変形部１９１が位置する第１指股部１５１に対して、隣り合う位置に設けられている。そして、帯革２２２は、中指用袋１２２の幅方向中央部を通り、中指用袋１２２の長手方向に延びる中心線Ｌ１上に位置している。なお、この中心線Ｌ１と中心線Ｌ２との交点を交点Ｐとする。
【００７２】
第１指股部１５１の先端部は、Ｖ字状に括れた頂点部Ｑとされており、この頂点部Ｑと、交点Ｐとを通る仮想直線を通る基準線Ｌ３とする。
【００７３】
そして、第１易変形部１９１は、基準線Ｌ３に対して中心線Ｌ１側に位置する第１中心側易変形部１９５Ｌと、基準線Ｌ３に対して中心線Ｌ２側に位置する第２中心側易変形部１９５Ｒとを含む。
【００７４】
ここで、本実施の形態１に係る捕球具１００においては、基準線Ｌ３に対して垂直な方向における第１中心側易変形部１９５Ｌの幅Ｒ１は、基準線Ｌ３に対して垂直な方向における第２中心側易変形部１９５Ｒの幅Ｒ２よりも大きく形成されている。
【００７５】
また、同様に、第２易変形部１９２においても、第２易変形部１９２のうち、第２易変形部１９２の基準線（図示せず）に対して、帯革２２３側に位置する部分の幅は、基準線に対して帯革２２２側に位置する部分の幅よりも大きく形成されている。
【００７６】
さらに、第３易変形部１９３においても、第３易変形部１９３のうち、第３易変形部１９３の基準線（図示せず）に対して、帯革２２４側に位置する部分の幅は、基準線に対して帯革２２３側に位置する部分の幅よりも大きく形成されている。
【００７７】
このように、各第１易変形部１９１、第２易変形部１９２および第３易変形部１９３を構成することで、捕球動作やボールを把持する動作を容易に行うことができる。
【００７８】
なお、基準線Ｌ３に対して垂直な方向における第１中心側易変形部１９５Ｌの幅Ｒ１を、基準線Ｌ３に対して垂直な方向における第２中心側易変形部１９５Ｒの幅Ｒ２よりも小さく形成してもよい。
【００７９】
また、同様に、第２易変形部１９２においても、第２易変形部１９２のうち、第２易変形部１９２の基準線（図示せず）に対して、帯革２２３側に位置する部分の幅を、基準線に対して帯革２２２側に位置する部分の幅よりも小さく形成してもよい。
【００８０】
さらに、第３易変形部１９３においても、第３易変形部１９３のうち、第３易変形部１９３の基準線（図示せず）に対して、帯革２２４側に位置する部分の幅を、基準線に対して帯革２２３側に位置する部分の幅よりも小さく形成してもよい。すなわち、各第１易変形部１９１、第２易変形部１９２および第３易変形部１９３を各々の基準線に対して、非対称に形成することが考えられる。
【００８１】
図２１は、第１指間背面革２１１の平面図であり、図２２は、第２指間背面革２１２の平面図であり、図２３は、第３指間背面革２１３の平面図である。
【００８２】
図２１に示すように、第１指間背面革２１１には、切欠部２７１が形成されており、この切欠部２７１の外周縁部に沿って、第１易変形部１９１の外周縁部が縫着される。これにより、第１易変形部１９１が第１指間背面革２１１によって覆われずに外部に露出可能となっている。
【００８３】
この切欠部２７１の内周縁部のうち、一方の側辺部２６１および他方の側辺部２６３は、その長手方向の中央部またはその近傍において、互いに最も離間するように湾曲している。また、図２２に示すように、第２指間背面革２１２においても、切欠部２７２が形成されている。そして、この切欠部２７２の側辺部２６４および側辺部２６６は、その長手方向中央部またはその近傍において、互いに最も離間するように湾曲している。さらに、図２３に示された第３指間背面革２１３にも、切欠部２７３が形成されている。この切欠部２７３においても、側辺部２６７および側辺部２６９は、その長手方向中央部にて、互いに最も離れるように湾曲している。
【００８４】
このため、捕球具１００を通常の状態から捕球状態に変形させた際に、側辺部２６１と側辺部２６３とが当接したり、側辺部２６４と側辺部２６６とが当接したり、さらには、側辺部２６７と側辺部２６９とが当接することを抑制することができる。このように、第１指間背面革２１１、第２指間背面革２１２および第３指間背面革２１３の各側辺部同士の接触を抑制することで、捕球具１００を変形させる際に要する力が大きくなることを抑制することができる。
【００８５】
図２１から図２３において、切欠部２７１の内周縁部のうち、最も手挿入部１３３側に位置する底部２６２は、円弧状に湾曲しており、他の第２指間背面革２１２および第３指間背面革２１３も同様に円弧状に湾曲している。このため、捕球具１００が変形した際においても、各底部２６２、底部２６５および底部２６８に応力が集中し難くなっている。これにより、繰り返し捕球動作を行ったとしても、各底部２６２、底部２６５および底部２６８およびその近傍が劣化することを抑制することができる。
【００８６】
さらに、上記のように切欠部２７１，切欠部２７２および切欠部２７３の内周縁部は、曲線状に湾曲しているため、使用者の力の入れ具合によって、第１易変形部１９１、第２易変形部１９２および第３易変形部１９３の屈曲端が、各底部２６２、底部２６５および底部２６８に位置しなくとも、切欠部２７１，切欠部２７２および切欠部２７３の内周縁部の内周縁部のいずれの位置であっても、屈曲端となりえる。すなわち、局所での変形を伴わず、各種力の入れ具合、力の入れ方であっても、その態様に合わせて、各第１易変形部１９１、第２易変形部１９２および第３易変形部１９３が変形することができ、スムーズな捕球動作を行うことができる。
【００８７】
図１において、第１易変形部１９１の中指側面易変形部１７２は、人差指側面易変形部１７１よりも、指袋１２０の先端部側まで延びている。第２易変形部１９２の薬指側面易変形部１７４は、中指側面易変形部１７３よりも指袋１２０の先端部側に延びている。第３易変形部１９３の小指側面易変形部１７６は、薬指側面易変形部１７５よりも指袋１２０の先端部側にまで延びている。
【００８８】
ここで、図１に示すように、第１指股部１５１、第２指股部１５２および第３指股部１５３より指袋１２０の先端部側では、各指袋１２０同士間に隙間が形成されている。このため、図９から図２０に示すように、指袋１２０のうち、第１指股部１５１、第２指股部１５２および第３指股部１５３より指袋１２０の先端部側に位置する部分は、第１指股部１５１、第２指股部１５２および第３指股部１５３より手挿入部１３３側に位置する部分より変位量は小さくなっている。
【００８９】
そこで、上記のように、人差指側面易変形部１７１を中指側面易変形部１７２より短くし、さらに、中指側面易変形部１７３を薬指側面易変形部１７４よりも短くし、また、薬指側面易変形部１７５の長さを小指側面易変形部１７６よりも短くすることで、人差指用袋１２１、中指用袋１２２、薬指用袋１２３の強度を保ちつつ、捕球時において要する力の低減を図ることができる。
【００９０】
なお、本実施の形態１に係る捕球具１００においては、上記のように各易変形部は、２つの側面易変形部を備えているが、いずれか一方のみとしてもよい。これにより、各指袋１２０の強度をより確保することができる。
【００９１】
また、本実施の形態においては、各第１指股部１５１、第２指股部１５２および第３指
股部１５３に、それぞれ、第１易変形部１９１、第２易変形部１９２または第３易変形部１９３を設けているが、これに限られず、いずれか一箇所に設けるようにしてもよい。
【００９２】
さらに、図１から図８に示す例においては、人差指用袋１２１の付根部と中指用袋１２２の付根部との間、中指用袋１２２の付根部と薬指用袋１２３の付根部との間および薬指用袋１２３の付根部と小指用袋１２４の付根部との間に位置する各第１指股部１５１、第２指股部１５２および第２指股部１５２に第１易変形部１９１、第２易変形部１９２および第３易変形部１９３を配置しているが、これに限られない。たとえば、親指用袋１１０の手甲側に位置する部分であって、親指用袋１１０とウエブ部１１１との連設部が位置する部分に第４易変形部等を設けてもよい。
【００９３】
図２８は、本実施の形態１に係る捕球具１００の変形例を示し、親指用袋１１０側から側面視したときの捕球具１００の概略構成を示す側面図である。さらに、図２９は、図２８に示された捕球具１００の人差指用袋１２１とウエブ部１１１との連設部およびその近傍の概略構成を示す斜視図である。なお、これら図２８および図２９においては、革紐は省略している。
【００９４】
ここで、図２８に示すように、第４易変形部１９４は、親指用袋１１０のウエブ部１１１側の側面部と、ウエブ部１１１の底部２００とを連設する連設部（親指袋連設部）１６４に設けられている。なお、底部２００は、ウエブ部１１１は、図２９に示す人差指用袋１２１の連設部（人差指袋連設部）１６５と親指用袋１１０の連設部１６４との間に設けられ、連設部１６５と連設部１６４とを連設するように延びている。
【００９５】
第４易変形部１９４は、連設部１６４から親指用袋１１０の先端部に向けて延びる親指側面易変形部１７７と、底部２００に沿って延びる底部易変形部１７８と、連設部１６４から図１に示す手挿入部１３３に向けて延びる第４指間部２１７とを備えている。
【００９６】
ここで、図１０、図１２、図１４、図１８および図２０に示すように、捕球動作を行う際には、親指用袋１１０のうち、ウエブ部１１１側の側面部と、ウエブ部１１１の底部２００と連設部１６４およびその近傍が大きく変形していることが分かる。
【００９７】
その一方で、上記のように、連設部１６４およびその周囲を含む部分には、第４易変形部１９４が設けられており、容易に変形可能となっている。このため、使用者が捕球等する際に、容易に当該部分を変形させることができ、スムーズな捕球動作を行うことができる。
【００９８】
また、ボールを受け入れ可能な捕球具１００の通常の状態から、ホールを捕球する捕球状態に捕球具１００を変形させる際には、ウエブ部１１１は、湾曲するように変形する。このため、ウエブ部１１１の底部２００も湾曲するように変形する。
【００９９】
この際、第４易変形部１９４は、底部易変形部１７８を備えているため、捕球時に、底部２００を容易に変形させることができ、使用者が捕球具１００に加える力を低減させることができる。
【０１００】
特に、上記図１０等に示されるように、捕球具１００を捕球状態に変形させると、連設部１６４から図１に示す手挿入部１３３の間に位置する部分も大きく変形する。そして、この第４易変形部１９４は、連設部１６４から手挿入部１３３側に向けて延びる第４指間部２１７を備えており、当該部分をも容易に変形させることができる。
【０１０１】
さらに、図２９に示すように、捕球具１００は、人差指用袋１２１のウエブ部１１１側の側面部とウエブ部１１１の底部２００とを連設する連設部１６５およびその周囲を含む部分に設けられた、第５易変形部１９５を備えている。このため、連設部１６５およびその周囲を容易に変形させることができる。
【０１０２】
さらに、第５易変形部１９５は、連設部１６５から底部２００に沿って延びる底部易変形部１７９および人差指側側面部１８０を備えており、底部２００および人差指用袋１２１のウエブ部１１１側の側面部の変形容易性の向上が図られている。さらに、第５易変形部１９５は、連設部１６５から手挿入部１３３側に向けて延びる第５指間部２１６を備えており、当該部分の容易変形易性の向上をも図られている。
【０１０３】
このように、図２８および図２９に示す第４易変形部１９４および第５易変形部１９５を備えることで、捕球具１００の操作性の向上を図ることができる。
【０１０４】
なお、第４易変形部１９４は、連設部１６４に対して隣り合う部分に位置し、親指用袋１１０の手甲側に位置する部分や、連設部１６４に対して隣り合う部分に位置し、ウエブ部１１１の底部２００に対して、手挿入部１３３側に位置する部分よりも、小さな力で変形し易い材料で構成されている。さらに、第５易変形部１９５は、連設部１６５に対して隣り合う部分に位置し、人差指用袋１２１の手甲側に位置する部分や、ウエブ部１１１の底部２００に対して手挿入部１３３側に位置する部分よりも小さな力で変形可能な材料で構成されている。
【０１０５】
そして、第４易変形部１９４および第５易変形部１９５は、上記第１易変形部１９１、第２易変形部１９２および第３易変形部１９３と同様の材料によって構成されている。
【０１０６】
図２４は、図１および図２に示された表革１３０内に挿入された裏革８１２の正面図である。この図２４に示されるように、捕球具１００は、表革１３０内に挿入され、使用者の各指を受け入れ可能な裏革８１２を備えている。裏革８１２は、革紐などによって、表革１３０に結合している。
【０１０７】
裏革８１２は、手掌側に配置される手掌部材８１３と、手甲側に配置される手甲部材８１４とを備えており、手掌部材８１３と手甲部材８１４とは互いに縫着されている。
【０１０８】
この裏革８１２は、親指を受け入れる親指部８２０と、人差指を受け入れる人差し指部８２１と、中指を受け入れる中指部８２２と、薬指を受け入れる薬指部８２３と、小指を受け入れる小指部８２４とを備えている。なお、手掌部材８１３および手甲部材８１４としては、グラブを装着したときの感触を考慮して、軟らかくなめした革が使用される。
【０１０９】
（実施の形態２）
図２５を用いて、本実施の形態２に係る捕球具について説明する。なお、図２５において、上記図１から図２４に示された構成と同一または相当する構成については、同一の符号を付してその説明を省略する場合がある。
【０１１０】
図２５は、本実施の形態２に係る捕球具の指袋背面革３１０を示す平面図である。この図２５に示すように、第１易変形部１９１の人差指側面易変形部１７１の長手方向（指袋１２０の長手方向）の長さと、中指側面易変形部１７２の長手方向の長さは、略等しくなっている。
【０１１１】
さらに、第２易変形部１９２の中指側面易変形部１７３の長手方向の長さと、薬指側面易変形部１７４の長手方向の長さとは、略等しくなっている。また、薬指側面易変形部１７５の長手方向の長さと、小指側面易変形部１７６の長手方向の長さとは、略等しくなる
ように形成されている。
【０１１２】
これにより、本実施の形態２に係る捕球具を通常状態から捕球状態に変形させると、人差指側面易変形部１７１の略全面と中指側面易変形部１７２の略全面とが互いに当接する。さらに、中指側面易変形部１７３の略全面と、薬指側面易変形部１７４の略全面とが当接し、また、薬指側面易変形部１７５の略全面と小指側面易変形部１７６の略全面とが当接する。
【０１１３】
このように、捕球具の変形時において、各指袋１２０のうち、隣接する他の指袋１２０と接触する部分同士を、易変形部で構成することで、捕球具の変形に要する力の低減を図ることができる。
【０１１４】
（実施の形態３）
図２６および適宜上記図１を用いて、本実施の形態３に係る捕球具について説明する。なお、上記図１から図２５に示された構成と同一または相当する構成については、同一の符号を付してその説明を省略する場合がある。図２６は、本実施の形態３に係る捕球具に装着された指袋背面革４１０の平面図である。
【０１１５】
この図２６に示されるように、第１易変形部１９１は、第１指股部１５１から図１に示す開口規定部１３５に達するように延びている。また、第２易変形部１９２も、第２指股部１５２から開口規定部１３５にまで達するように延びている。第３易変形部１９３も、第３指股部１５３から開口規定部１３５にまで達するように延びている。
【０１１６】
このため、本実施の形態３に係る捕球具を通常状態から捕球状態に変形させる際に、各第１指股部１５１、第２指股部１５２および第３指股部１５３から開口規定部１３５（手挿入部１３３）までに位置する部分を容易に変形させることができる。
【０１１７】
ここで、上記図９から図２０に示されるように、捕球具を通常状態から捕球状態に変形させる際には、各指股部から手挿入部までの間に位置する部分が大きく変形することが分かる。そこで、上記のように、当該領域に位置する部分に、易変形部を配置することで、使用者が捕球具を変形させる際に要する力を低減させることができ、スムーズに捕球動作を行うことができる。
【０１１８】
図２７は、本実施の形態３に係る捕球具の変形例を示す側面図である。この図２７に示すように、指袋背面革を、第１易変形部１９１、第２易変形部１９２および第３易変形部１９３と、手の形を模った１枚の皮革とで構成してもよい。
【０１１９】
なお、この手の形を模った１枚の皮革は、図３において、第１指間背面革２１１と、第２指間背面革２１２と、第３指間背面革２１３と、小指側面背面革２１４と人差指側面背面革２１５とを一体の皮革で構成したものである。
【０１２０】
このように、指袋背面革を構成することで、指袋背面革の強度を図３に示す指袋背面革２１０よりも低減させることができ、容易に変形させることができる。これにより、捕球形状に捕球具を変形させる際に要する力を低減させることができる。
【０１２１】
なお、この図２７に示す例においては、第１易変形部１９１、第２易変形部１９２および第３易変形部１９３の幅方向の長さは、長手方向に略均一とされている。そして、各第１易変形部１９１、第２易変形部１９２および第３易変形部１９３は、第１指股部１５１，第２指股部１５２，第３指股部１５３から手挿入部１３３にまで達するように延びている。
【０１２２】
（実施の形態４）
本発明の実施の形態４に係る捕球具１００について、図３０から図６１を用いて説明する。なお、図３０から図６１に示された構成のうち、上記図１から図２９に示された構成と同一または相当する構成については、同一の符号を付してその説明を省略する場合がある。
【０１２３】
図３０は、本発明の実施の形態４に係る捕球具１００の背面図であり、図３１は、図３０に示された捕球具１００の指袋背面革２１０の平面図である。図３０に示す捕球具１００は、背面革１３１のうち、第１指股部１５１、第２指股部１５２および第３指股部１５３を通る仮想線Ｌ４と、ヘリ部１３７との間に位置する領域Ａに易変形部が形成されている。なお、ヘリ部１３７は開口規定部１３５の一部であって、第３指股部１５３に対して手挿入部１３３側に位置する部分Ｍ１から人差指用袋１２１の先端部に対して手挿入部１３３側に位置する部分Ｍ２の間に位置しており、各指袋の配列方向に延びている。したがって、領域Ａは、図３１に示すように、部分Ｍ１および部分Ｍ２の間に位置するヘリ部１３７と、仮想線Ｌ４との間に位置している。なお、仮想線Ｌ４は、各指股部を通ると共に、各指袋の配列方向に延びている。そして、表革１３０と背面革１３１とが逢着されることで、人差指用袋１２１、中指用袋１２２、薬指用袋１２３および小指用袋１２４が形成され、ヘリ部１３７は、人差指用袋１２１、中指用袋１２２、薬指用袋１２３および小指用袋１２４の開口縁部の一部を規定している。
【０１２４】
背面革１３１のうち、領域Ａが位置する部分は、捕球時にボールを捕球する際に大きく変位する部分であるため、当該領域に易変形部を設けることで容易に捕球具１００を捕球態様に変形させることができる。なお、第１指股部１５１、第２指股部１５２および第３指股部１５３は、図３０の破線に示されるように、指袋間の谷部を中心にある程度広がりを持つものである。
【０１２５】
ここで、背面革１３１のうち、領域Ａが位置する部分が他の部分よりも大きく変形することを図３２から図３５を用いて説明する。
【０１２６】
図３２は、背面革１３１に複数の反射マーカ５００が間隔をあけて配置された捕球具である。そして、反射マーカ５００の三次元座標を光学式動作解析システムMac3Dシステム（Motion Analysis社製）を用いて測定し、反射マーカ５００の座標変位を算出した。
【０１２７】
なお、図３３は、各反射マーカ５００の三次元座標を示す座標モデル５１０であり、図３４は、捕球時に各反射マーカ５００が変位した変位量を示す変位モデル５２０である。図３５は、図３２に示す捕球具を装着して、通常の状態から捕球状態に捕球具を変形させたときにおける各部位の変位状態を示した変位モデル５２０である。
【０１２８】
この図３５において、超高変位領域Ｐ１〜低変位領域Ｐ４を変位量の大きい準に並べると、超高変位領域Ｐ１、高変位領域Ｐ２、中変位領域Ｐ３、低変位領域Ｐ４となり、超高変位領域Ｐ１が最も変位した領域を示す。そして、この図３５に示すように、超高変位領域Ｐ１、高変位領域Ｐ２は、各指股部からヘリ部１３７の間に位置する領域Ａに多く分布していることが分かる。
【０１２９】
そこで、本実施の形態に係る捕球具１００においては、超高変位領域Ｐ１および高変位領域Ｐ２が分布する領域に易変形部を形成することで、捕球具１００を捕球状態に変形させる際に、大きく変形する部分を容易に変形させることが可能となり、捕球動作をスムーズかつ短時間で行うことが可能となる。
【０１３０】
ここで、指股部に易変形部を配置する場合には、外野手用捕球具、遊撃手用捕球具、三塁手用捕球具等の捕球具の種類によって易変形部大きさ、柔らかさ、厚さおよび材料等を設定する。さらに、捕球具の種類に加えて、縦捕りおよび横捕り等の使用者の捕球態様も考慮して易変形部を形成するのが好ましい。
【０１３１】
具体的には、図１に示された捕球具１００において、同一の荷重に対する第３易変形部１９３の変形量が、第２易変形部１９２および第１易変形部１９１の変形量よりも大きくなるように形成された捕球具は、外野手用捕球具、遊撃手用捕球具、および三塁手用捕球具として適している。特に、外野手捕球具、遊撃手用捕球具および三塁手用捕球具に適用した場合では、ボールを縦捕りする場合に好適である。
【０１３２】
そして、第３易変形部１９３の変形量が、第２易変形部１９２および第１易変形部１９１の変形量よりも大きくなるようにする手段としては、たとえば、第３易変形部１９３の面積を第２易変形部１９２および第１易変形部１９１の面積よりも広くすること、第３易変形部１９３の厚さを第２易変形部１９２および第１易変形部１９１の厚さよりも薄く形成することや、さらに、第３易変形部１９３を第２易変形部１９２および第３易変形部１９３よりも伸縮性の高い材料で形成することなどが挙げられる。なお、変形量を調整する手段としては、上記のものに限られない。
【０１３３】
この捕球具においては、さらに、好ましくは、同一の荷重に対する第２易変形部１９２の変形量が第１易変形部１９１の変形量よりも大きくなるようにする。なお、小指袋に小指および薬指を挿入するような使用者が用いる場合には、第３易変形部１９３のみ設けるようにしてもよい。
【０１３４】
その一方で、同一の荷重に対する第２易変形部１９２の変形量が第１易変形部１９１および第３易変形部１９３の変形量よりも大きい捕球具は、遊撃手用捕球具および三塁手用捕球具として採用することができる。特に、遊撃手用捕球具を用いてボールを横捕りする場合や三塁手用捕球具を用いてボールを横捕りする場合には好適である。
【０１３５】
この捕球具の場合、同一の荷重に対する第１易変形部１９１の変形量と、第３易変形部１９３の変形量が一致していてもよく、異ならせてもよく、使用者の捕球態様に合わせて適宜調整するようにする。なお、同一荷重に対する変形量の調整手段としては、上述の手段を採用する。
【０１３６】
図３７から図４１は、被験者Ａが各種捕球具でボールを縦捕りしたり、横捕りしたときの捕球具の変形量を示すグラフであり、図４２から図４６は、被験者Ｂが各種捕球具でボールを縦捕りしたり、横捕りしたときの捕球具の変形状態を示したグラフである。
【０１３７】
なお、図３７から図４６において、縦軸は、各捕球具の変位モデル５２０において、所定のマトリックスｍ１〜マトリックスｍ５の面積の変化率を示し、横軸は、サンプリングされたマトリックスｍ１〜マトリックスｍ５を示す。マトリックスの面積の変化率は、{（通常の状態のマトリックスの面積）−（変形後のマトリックスの面積）}／（通常の状態のマトリックスの面積）の絶対値とする。
【０１３８】
なお、図３６および上記図３０において、サンプリングされたマトリックスｍ１〜ｍ５のうち、マトリックスｍ１は、第３指股部１５３に位置し、マトリックスｍ２は、マトリックスｍ１に対して手挿入部１３３側に位置する。さらに、マトリックスｍ３は、第２指股部１５２に位置し、マトリックスｍ４は、マトリックスｍ３に対して手挿入部１３３側に位置している。さらに、マトリックスｍ５は、第１指股部１５１に位置しており、マトリックスｍ６はマトリックスｍ５に対して手挿入部１３３側に位置している。
【０１３９】
そして、図３７は、被験者Ａが外野手用捕球具でボールを縦捕りしたときの各マトリックスの面積の変化率を示し、図４２は、被験者Ｂが外野手用捕球具でボールを縦捕りしたときのグラフである。この図３７および図４２に示すように被験者領域Ａおよび被験者Ｂのいずれの場合であっても、マトリックスｍ１，ｍ２の面積変化率は、他のマトリックスｍ３〜マトリックスｍ６の面積変化率よりも大きいことが分かる。
【０１４０】
さらに、図３８および図４３は、被験者Ａおよび被験者Ｂが遊撃手用捕球具でボールを縦捕りしたときの各マトリックスｍ１〜ｍ６の面積変化率を示したグラフである。これら図３８および図４３に示すように、被験者Ａおよび被験者Ｂのいずれの場合であっても、マトリックスｍ１とマトリックスｍ２の面積変化率の平均は、マトリックスｍ３とマトリックスｍ４の面積変化率の平均よりも高く、さらに、マトリックスｍ５とマトリックスｍ６の面積変化率の平均よりも高くなっている。
【０１４１】
また、図３９および図４４は、被験者Ａおよび被験者Ｂが三塁手用捕球具でボールを縦捕りしたときの各マトリックスｍ１〜ｍ６の面積変化率を示すグラフである。この図３９および図４４においても、被験者Ａおよび被験者Ｂのいずれもの場合であっても、マトリックスｍ１，ｍ２の面積変化率は、他のマトリックスｍ３〜マトリックスｍ６の面積変化率よりも大きいことが分かる。
【０１４２】
すなわち、外野手用捕球具、遊撃手用捕球具および三塁手用捕球具でボールを縦捕りするときには、第３指股部１５３およびその周囲に位置する部分を大きく変形させる必要があることが分かる。
【０１４３】
このため、上記のように、同一荷重に対する第３易変形部１９３の変形量を第２易変形部１９２および第１易変形部１９１の変形量よりも大きくすることで、第３指股部１５３およびその周囲に位置する部分を容易に変形させることが可能となり、外野手捕球具、遊撃手用捕球具および三塁手用捕球具でボールを縦捕りするときに、容易に各捕球具を捕球状態とすることができる。
【０１４４】
さらに、上記図３７から図３９および図４２から図４４に示されるように、被験者Ａおよび被験者Ｂが、外野手用捕球具、遊撃手用捕球具および三塁手用捕球具を用いてボールを縦捕りで捕球する際には、マトリックスｍ１，ｍ２の面積変化率が最も高く、マトリックスｍ３，ｍ４が次に高く、そして、マトリックスｍ５，ｍ６が最も低くなっている。
【０１４５】
このため、上記のように、同一荷重に対する第２易変形部１９２の変形量が、第１易変形部１９１の変形量よりも大きくなるようにすることで、外野手用捕球具、遊撃手用捕球具および三塁手用捕球具でボールを縦捕りする際に、捕球具をさらに変形し易くなる。
【０１４６】
なお、マトリックスｍ１およびマトリックスｍ２の面積変化量は、他のマトリックスｍ３〜ｍ６の面積変化量よりも遥かに高いため、第３易変形部１９３のみを設たとしても、外野手用捕球具、遊撃手用捕球具および三塁手用捕球具でボールを縦捕りときに捕球具を容易に補給状態に変形させることができる。
【０１４７】
図４０は、被験者Ａが遊撃手用捕球具でボールを横捕りしたときのマトリックスｍ１〜ｍ６の面積変化率を示すグラフであり、図４１は、被験者Ａが三塁手用捕球具でボールを横捕りしたときのグラフである。さらに、図４５は、被験者Ｂが遊撃手用捕球具でボールを横捕りしたときのグラフであり、図４６は、三塁手用捕球具でボールを横捕りしたときのグラフである。
【０１４８】
これら、図４０，図４１および図４５，図４６において、いずれも、マトリックスｍ３，ｍ４の面積変化率は高くなっており、特に、図４１、図４５および図４６に示すように、被験者Ａおよび被験者Ｂが三塁手用捕球具でボールを横捕りするときおよび被験者Ｂが遊撃用捕球具でボールを横捕りするときには、マトリックスｍ３，ｍ４の面積変化率は、他のマトリックスｍ１，ｍ２，ｍ５，ｍ６よりも高くなっていることが分かる。
【０１４９】
このため、上記のように、第２易変形部１９２を他の第１易変形部１９１および第３易変形部１９３よりも同一の荷重に対する変形量が大きくなるように形成することで、三塁手用捕球具および遊撃手用捕球具でボールを横捕りするときに、容易に各捕球具を捕球状態に変形することができることが分かる。
【０１５０】
なお、図４０に示す例においては、マトリックスｍ５，ｍ６の面積変化率は、マトリックスｍ３，ｍ４よりも大きくなっているが、マトリックスｍ３，ｍ４の面積変化率は高いため、第２易変形部１９２を変形し易くすることで、捕球具を捕球状態に容易に変形させ易くなる。
【０１５１】
さらに、図４０および図４１に示す例においては、マトリックスｍ５，ｍ６の面積変化率も、マトリックスｍ１，ｍ２の面積変化率よりも大きくなっている。そこで、上記のよに、同一荷重に対する第１易変形部１９１の変形量が第３易変形部１９３よりも大きくなるように形成することで、さらに、捕球具を捕球状態に変形しやすくなる。なお、反対に第３易変形部１９３の変形量が第１易変形部１９１よりも大きくなるように形成してもよい。下記表１、２は、上記図３７から図４６に示された測定結果を示す表であり、表１は、図３７から図４１に示された被験者Ａにおける測定結果である。
【０１５２】
【表１】
0005476640.tif 000002
【０１５３】
表２は、図４２から図４６に示された測定結果を示す表であり、被験者Ｂの測定結果である。
【０１５４】
【表２】
0005476640.tif 000003
【０１５５】
なお、上記図３７から図４６は、マトリックスｍ１〜マトリックスｍ６における面積変化率に注目した結果を示したが、図４８から図５７は、被験者Ａおよび被験者Ｂが各種捕球具でボールを横捕りしたり縦捕りした際に、図４７に示すように、第１指股部１５１およびその周囲を含む領域Ｄ３と、第２指股部１５２およびその周囲を含む領域Ｄ２と、第３易変形部１９３およびその周囲を含む領域Ｄ１とにおける面積変化率を示すグラフである。
【０１５６】
具体的には、図４８は、被験者Ａが外野手用捕球具でボールを縦捕りしたときの各領域Ｄ１，Ｄ２，Ｄ３の面積変化率を示し、図４９は、被験者Ａが遊撃手用捕球具でボールを縦捕りしたときの各領域Ｄ１，Ｄ２，Ｄ３の面積変化率を示す。図５０は、被験者Ａが遊撃手用捕球具を横捕りしたときの各領域Ｄ１，Ｄ２，Ｄ３の面積変化率を示し、図５１は、被験者領域Ａが三塁手用捕球具でボールを縦捕りしたときの各領域Ｄ１，Ｄ２，Ｄ３の面積変化率を示し、図５２は、被験者Ａが三塁手用捕球具でボールを横捕りしたときの各領域Ｄ１，Ｄ２，Ｄ３の面積変化率を示す。
【０１５７】
図５３は、被験者Ｂが外野手用捕球具でボールを横捕りしたときの各領域Ｄ１，Ｄ２，Ｄ３の面積変化率を示し、図５４は、被験者Ｂが遊撃手用捕球具を縦捕りしたときの各領域Ｄ１，Ｄ２，Ｄ３の面積変化率を示す。
【０１５８】
図５５は、被験者Ｂが遊撃手用捕球具でボールを横捕りしたときの各領域Ｄ１，Ｄ２，Ｄ３の面積変化率を示し、図５６は、被験者Ｂが三塁手用捕球具でボールを縦捕りしたときの各領域Ｄ１，Ｄ２，Ｄ３の面積変化率を示し、さらに、図５７は、被験者Ｂが三塁手用捕球具でボールを横捕りしたときの各領域Ｄ１，Ｄ２，Ｄ３の面積変化率を示すグラフである。これら、図４８から図５７においても、上記図３７から図４６に示された傾向と同様の傾向が示されている。
【０１５９】
なお、下記表４および表５は、上記図４８から図５７の測定結果を示す表であって、表４は、図４８から図５２に示す被験者Ａの測定結果を示す表である。
【０１６０】
【表３】
0005476640.tif 000004
【０１６１】
下記表４は、図５３から図５７に示された被験者Ｂの測定結果を示す表である。
【０１６２】
【表４】
0005476640.tif 000005
【０１６３】
図５８から図６０を用いて、上記図１に示す捕球具１００装着した状態で捕球具１００を通常の状態から横捕りおよび縦捕りしたときに装着者の手にかかる荷重と、易変形部が設けられていない従来の捕球具（美津濃株式会社製：品番2GN33210）を装着した状態でボールを捕球したときにおける装着者の手にかかる荷重とを比較する。
【０１６４】
図５８は、装着者が捕球具に加える力を計測するためのセンサユニット６１７を示した図である。また、図５９は、図５８に示すセンサユニット６１７を装着者がはめる手袋に取り付けた状態を示す図である。
【０１６５】
センサユニット６１７は、図５８に示すように、５本に枝分かれしており、各々の枝が複数のセンサ集合部６１８を有する。センサユニット６１７は簡単に変形させることができ、図５８に示すように、センサユニット６１７を変形させ、手袋に巻き付けることができ、センサユニット６１７が装着された手袋６２０を装着者がはめて、捕球具に手を挿入する。なお、センサ集合部６１８は、合計で２０個配置され、センサ集合部６１８としては、Glove typeのセンサーシート（ニッタ株式会社製）が用いられる。
【０１６６】
図６０は、図５９における手袋６２０の指部を拡大して示した図である。この図６０に示すように、各々のセンサ集合部６１８は、４列に並んで形成されたセンサ６１９を備える。各々のセンサ６１９においては、センサ６１９の延在方向に４つの測定点が並んで形成されている。すなわち、１つのセンサ部１８において、４×４＝１６箇所の測定点が形成されている。センサユニット６１７としては、たとえば、F-scan mobileシステム（ニッタ株式会社製）が用いられる。
【０１６７】
計測条件については、ボールを「縦捕り」および「横捕り」するようにグラブを握りこみ、その際に必要とした力を計測した。評価したのは全センサーの合計値が最大(=最も握り込んだ時)となったときの把持力としている。
【０１６８】
なお、当該、計測において「縦捕り」のときには、親指先と小指先とを125mmにまで接近させ、「横捕り」の際には、親指先と中指先とを90mmにまで接近させる。そして、「横捕り」とは、捕球時に親指と中指に力の入る捕り方で、投手、二塁手、遊撃手に多く見られる捕り方であり、「縦捕り」とは、捕球時に親指と小指に力の入る捕り方で、三塁手、外野手に多く見られる捕り方である。ここで、「指先」とは、グラブの指袋の最先端の中央の事である。
【０１６９】
下記表５は、図１に示す捕球具１００と、上記従来の捕球具とにおける測定結果を示し、図６１は、測定結果を示すグラフである。なお、下記表５において、縦捕りと横捕りとをそれぞれ５回行い、従来の捕球具の平均値を捕球具１００としたときの規格化値が記載されている。なお、図６１には、従来の捕球具の平均値を１００として、捕球具１００における平均値を規格化した値が記載されている。
【０１７０】
【表５】
0005476640.tif 000006
【０１７１】
これら図６１および上記表５に示すように、捕球具１００の方が従来の捕球具よりも把持力が低くなっていることがわかる。このため、第１易変形部１９１〜第３易変形部１９３を設けることで、捕球動作時に必要な力が軽減されている事がわかる。また、特に横捕りにおいてその傾向が顕著に現れていることもわかる。
【０１７２】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【０１７３】
本発明は、野球またはソフトボール用捕球具に好適である。
【図面の簡単な説明】
【０１７４】
【図１】本発明の実施の形態１に係る捕球具の背面図である。
【図２】図１に示された捕球具の正面図である。
【図３】指袋背面革の展開平面図である。
【図４】第１指背面革と、第２指背面革との接続部における断面図である。
【図５】第１指背面革の平面図である。
【図６】第２指背面革の平面図である。
【図７】第３指背面革の平面図である。
【図８】受球面革側から見たときの第１指股部、第２指股部および第３指股部を示す斜視図である。
【図９】投手が捕球具を装着して、縦捕りしたときにおける補球具の変形状態を示した捕球具モデルの正面図である。
【図１０】図９に示された捕球具モデルの側面図である。
【図１１】二塁手が横捕りしたときにおける捕球具の変形状態を示した捕球具モデルの正面図である。
【図１２】図１１に示された捕球具モデルの側面図である。
【図１３】遊撃主が横捕りしたときにおける捕球具の変形状態を示した捕球具モデルの正面図である。
【図１４】図１３に示された捕球具モデルの側面図である。
【図１５】外野手が縦捕りしたときにおける捕球具の変形状態を示す捕球具モデルの正面図である。
【図１６】図１５に示された捕球具モデルの側面図である。
【図１７】遊撃手が縦捕りしたときのおける捕球具の変形状態を示す捕球具モデルの正面図である。
【図１８】図１７に示された捕球具の側面図である。
【図１９】三塁手が縦捕りしたときにおける捕球具の変形状態を示す捕球具モデルの正面図である。
【図２０】図１９に示された捕球具モデルの側面図である。
【図２１】第１指間背面革の平面図である。
【図２２】第２指間背面革の平面図である。
【図２３】第３指間背面革の平面図である。
【図２４】図１および図２に示された表革内に挿入された裏革の正面図である。
【図２５】本実施の形態２に係る捕球具の指袋背面革を示す平面図である。
【図２６】本実施の形態３に係る捕球具に装着された指袋背面革の平面図である。
【図２７】本実施の形態３に係る捕球具の変形例を示す側面図である。
【図２８】本実施の形態１に係る捕球具の変形例を示し、親指用袋側からの概略構成を示す側面図である。
【図２９】図２８に示された捕球具の人差指用袋とウエブ部との連設部およびその近傍の概略構成を示す斜視図である。
【図３０】本発明の実施の形態４に係る捕球具の背面図である。
【図３１】図３０に示された捕球具の指袋背面革の平面図である。
【図３２】背面革に複数の反射マーカが間隔をあけて配置された捕球具である。
【図３３】各反射マーカの三次元座標を示す座標モデルである。
【図３４】捕球時に各反射マーカが変位した変位量を示す変位モデルである。
【図３５】図３２に示す捕球具を装着して、通常の状態から捕球状態に捕球具を変形させたときにおける各部位の変位状態を示した変位モデルである。
【図３６】サンプリングされたマトリックスの位置を示す変位モデルである。
【図３７】被験者Ａが外野手用捕球具でボールを縦捕りしたときの各マトリックスの面積を変化率を示すグラフである。
【図３８】被験者Ａが遊撃手用捕球具でボールを縦捕りしたときの各マトリックスの面積を変化率を示すグラフである。
【図３９】被験者Ａが三塁手用捕球具でボールを縦捕りしたときの各マトリックスの面積を変化率を示すグラフである。
【図４０】被験者Ａが遊撃手用捕球具でボールを横捕りしたときの各マトリックスの面積を変化率を示すグラフである。
【図４１】被験者Ａが三塁手用捕球具でボールを横捕りしたときの各マトリックスの面積を変化率を示すグラフである。
【図４２】被験者Ｂが外野手用捕球具でボールを縦捕りしたときの各マトリックスの面積を変化率を示すグラフである。
【図４３】被験者Ｂが遊撃手用捕球具でボールを縦捕りしたときの各マトリックスの面積を変化率を示すグラフである。
【図４４】被験者Ｂが三塁手用捕球具でボールを縦捕りしたときの各マトリックスの面積を変化率を示すグラフである。
【図４５】被験者Ｂが遊撃手用捕球具でボールを横捕りしたときの各マトリックスの面積を変化率を示すグラフである。
【図４６】被験者Ｂが三塁手用捕球具でボールを横捕りしたときの各マトリックスの面積を変化率を示すグラフである。
【図４７】領域Ｄ１〜領域Ｄ３の位置を示す変位モデルである。
【図４８】被験者Ａが外野手用捕球具でボールを縦捕りしたときの各領域の面積変化率を示すグラフである。
【図４９】被験者Ａが遊撃手用捕球具でボールを縦捕りしたときの各領域の面積変化率を示すグラフである。
【図５０】被験者Ａが遊撃手用捕球具でボールを横捕りしたときの各領域の面積変化率を示すグラフである。
【図５１】被験者Ａが三塁手用捕球具でボールを縦捕りしたときの各領域の面積変化率を示すグラフである。
【図５２】被験者Ａが三塁手用捕球具でボールを横捕りしたときの各領域の面積変化率を示すグラフである。
【図５３】被験者Ｂが外野手用捕球具でボールを縦捕りしたときの各領域の面積変化率を示すグラフである。
【図５４】被験者Ｂが遊撃手用捕球具でボールを縦捕りしたときの各領域の面積変化率を示すグラフである。
【図５５】被験者Ｂが遊撃手用捕球具でボールを横捕りしたときの各領域の面積変化率を示すグラフである。
【図５６】被験者Ｂが三塁手用捕球具でボールを縦捕りしたときの各領域の面積変化率を示すグラフである。
【図５７】被験者Ｂが三塁手用捕球具でボールを横捕りしたときの各領域の面積変化率を示すグラフである。
【図５８】装着者が捕球具に加える力を計測するためのセンサユニットを示した図である。
【図５９】図５８に示すセンサユニットを装着者がはめる手袋に取り付けた状態を示す図である。
【図６０】図５９における手袋の指部を拡大して示した図である。
【図６１】測定結果を示すグラフである。
【符号の説明】
【０１７５】
１００  捕球具、１１０  親指用袋、１１１  ウエブ部、１２０  指袋、１２１  人差指用袋、１２２  中指用袋、１２３  薬指用袋、１２４  小指用袋、１３０  表革、１３１  背面革、１３２  受球面革、１３３  手挿入部、１３４  ベルト、１３５  開口縁部、１３６  開口部、１４１  人差指腹部、１４２  中指腹部、１４３  薬指腹部、１４４
小指腹部、１４５  革紐、１５１  第１指股部、１５２  第２指股部、１５３  第３指股部、１６１  第１指間部、１６２  第２指間部、１６３  第３指間部、１８１  第１指股易変形部、１８２  第２指股易変形部、１８３  第３指股易変形部、１９１  第１易変形部、１９２  第２易変形部、１９３  第３易変形部、２１０  指袋背面革、２１１  第１指間背面革、２１２  第２指間背面革、２１３  第３指間背面革、２１４  小指側面背面革、２１５  人差指側面背面革、２３１  第１指背面革、２３２  第２指背面革、２３３  第３指背面革、２５１  側辺部、２５２  底部、２５３  側辺部、２５４  側辺部、２５５  底部、２５６  側辺部、２５７  側辺部、２５８  底部、２５９  側辺部、２７１，２７２，２７３  切欠部。
【図１】
0005476640.tif 000007
【図２】
0005476640.tif 000008
【図３】
0005476640.tif 000009
【図４】
0005476640.tif 000010
【図５】
0005476640.tif 000011
【図６】
0005476640.tif 000012
【図７】
0005476640.tif 000013
【図８】
0005476640.tif 000014
【図９】
0005476640.tif 000015
【図１０】
0005476640.tif 000016
【図１１】
0005476640.tif 000017
【図１２】
0005476640.tif 000018
【図１３】
0005476640.tif 000019
【図１４】
0005476640.tif 000020
【図１５】
0005476640.tif 000021
【図１６】
0005476640.tif 000022
【図１７】
0005476640.tif 000023
【図１８】
0005476640.tif 000024
【図１９】
0005476640.tif 000025
【図２０】
0005476640.tif 000026
【図２１】
0005476640.tif 000027
【図２２】
0005476640.tif 000028
【図２３】
0005476640.tif 000029
【図２４】
0005476640.tif 000030
【図２５】
0005476640.tif 000031
【図２６】
0005476640.tif 000032
【図２７】
0005476640.tif 000033
【図２８】
0005476640.tif 000034
【図２９】
0005476640.tif 000035
【図３０】
0005476640.tif 000036
【図３１】
0005476640.tif 000037
【図３２】
0005476640.tif 000038
【図３３】
0005476640.tif 000039
【図３４】
0005476640.tif 000040
【図３５】
0005476640.tif 000041
【図３６】
0005476640.tif 000042
【図３７】
0005476640.tif 000043
【図３８】
0005476640.tif 000044
【図３９】
0005476640.tif 000045
【図４０】
0005476640.tif 000046
【図４１】
0005476640.tif 000047
【図４２】
0005476640.tif 000048
【図４３】
0005476640.tif 000049
【図４４】
0005476640.tif 000050
【図４５】
0005476640.tif 000051
【図４６】
0005476640.tif 000052
【図４７】
0005476640.tif 000053
【図４８】
0005476640.tif 000054
【図４９】
0005476640.tif 000055
【図５０】
0005476640.tif 000056
【図５１】
0005476640.tif 000057
【図５２】
0005476640.tif 000058
【図５３】
0005476640.tif 000059
【図５４】
0005476640.tif 000060
【図５５】
0005476640.tif 000061
【図５６】
0005476640.tif 000062
【図５７】
0005476640.tif 000063
【図５８】
0005476640.tif 000064
【図５９】
0005476640.tif 000065
【図６０】
0005476640.tif 000066
【図６１】
0005476640.tif 000067